(57)【要約】【課題】  使用中のディスプレイパネルの背面側に位置する操作部等の一時的な操作を迅速、かつ、容易に行え、ディスプレイパネルの通常使用状態への復帰の手間を低減する。【解決手段】  ディスプレイパネルの一時待避時の姿勢及び待避時間を予め記憶し、ユーザの指示に従ってディスプレイパネルを通常使用時の姿勢から一時待避時の姿勢とし、ディスプレイパネルを待避させてから待避時間が経過したか否かを判別し、ディスプレイパネルを待避させてから待避時間が経過した場合に、ディスプレイパネルを通常使用時の姿勢に復帰させる。【選択図】      図９
2005335556.tif 000002
【特許請求の範囲】
【請求項１】
ディスプレイパネルの一時待避時の姿勢を記憶する待避姿勢記憶部と、
前記一時待避時の姿勢を前記待避姿勢記憶部にあらかじめユーザが記憶させるべく操作を行う待避姿勢設定部と、
前記ディスプレイパネルを一時待避させる時間である待避時間を記憶する待避時間記憶部と、
ユーザの指示に従ってディスプレイパネルを通常使用時の姿勢から一時待避時の姿勢とする待避処理部と、
前記ディスプレイパネルを待避させてから前記待避時間が経過したか否かを判別する経過時間判別部と、
前記ディスプレイパネルを待避させてから前記待避時間が経過した場合に、前記ディスプレイパネルを前記通常使用時の姿勢に復帰させる復帰部と、
を備えたことを特徴とする車載用ディスプレイ装置。
【請求項２】
請求項１記載の車載用ディスプレイ装置において、
前記待避姿勢記憶部は、複数の前記一時待避時の姿勢を記憶可能であり、
前記待避処理部は、前記ユーザの指示に対応するいずれかの前記一時待避時の姿勢を選択して前記通常使用時の姿勢から当該一時待避時の姿勢とする、
ことを特徴とする車載用ディスプレイ装置。
【請求項３】
請求項１または請求項２に記載の車載用ディスプレイ装置において、
前記一時待避時の姿勢は、前記ディスプレイパネルが前記通常使用時の姿勢をとっている場合に、前記ディスプレイパネルの背面側に位置することととなる他の装置の操作部の操作が行える姿勢とすることを特徴とする車載用ディスプレイ装置。
【請求項４】
請求項１ないし請求項３のいずれかに記載の車載用ディスプレイ装置において、
前記通常使用時の姿勢を記憶する通常姿勢記憶部を備え、
前記復帰部は、前記通常姿勢記憶部に記憶した前記通常使用時の姿勢を参照して前記ディスプレイパネルを前記通常使用時の姿勢に復帰させることを特徴とする車載用ディスプレイ装置。
【請求項５】
請求項１ないし請求項４のいずれかに記載の車載用ディスプレイ装置において、
前記待避姿勢記憶部および待避時間記憶部は、協働して前記待避時姿勢および前記待避時間の組合せを複数組記憶することを特徴とする車載用ディスプレイ装置。
【請求項６】
ユーザの指示に従ってディスプレイパネルの一時待避時の姿勢を予め記憶する待避姿勢記憶過程と、
ユーザの操作に基づいて前記ディスプレイパネルを一時待避させる時間である待避時間を予め記憶する待避時間記憶過程と、
ユーザの操作に基づいてディスプレイパネルを通常使用時の姿勢から一時待避時の姿勢とする待避処理過程と、
前記ディスプレイパネルを待避させてから前記待避時間が経過したか否かを判別する経過時間判別過程と、
前記ディスプレイパネルを待避させてから前記待避時間が経過した場合に、前記ディスプレイパネルを前記通常使用時の姿勢に復帰させる復帰過程と、
を備えたことを特徴とする車載用ディスプレイ装置の制御方法。
【請求項７】
請求項６記載の車載用ディスプレイ装置の制御方法において、
前記待避姿勢記憶過程においては、複数の前記一時待避時の姿勢を記憶可能であり、
前記待避処理過程は、前記ユーザの指示に対応するいずれかの前記一時待避時の姿勢を選択して前記通常使用時の姿勢から当該一時待避時の姿勢とする、
ことを特徴とする車載用ディスプレイ装置の制御方法。
【請求項８】
請求項６または請求項７に記載の車載用ディスプレイ装置の制御方法において、
前記一時待避時の姿勢は、前記ディスプレイパネルが前記通常使用時の姿勢をとっている場合に、前記ディスプレイパネルの背面側に位置することととなる他の装置の操作部の操作が行える姿勢とすることを特徴とする車載用ディスプレイ装置の制御方法。
【請求項９】
請求項６ないし請求項８のいずれかに記載の車載用ディスプレイ装置の制御方法において、
前記通常使用時の姿勢を予め記憶する通常姿勢記憶過程を備え、
前記復帰過程は、前記通常姿勢記憶過程で記憶した前記通常使用時の姿勢に前記ディスプレイパネルを復帰させることを特徴とする車載用ディスプレイ装置の制御方法。
【請求項１０】
ディスプレイパネルの一時待避時の姿勢を記憶する待避姿勢記憶部と、前記ディスプレイパネルを一時待避させる時間である待避時間を記憶する待避時間記憶部と、を備えた車載用ディスプレイ装置をコンピュータにより制御するための制御プログラムにおいて、
前記一時待避時の姿勢を前記待避姿勢記憶部にあらかじめユーザに記憶させ、
前記ユーザの指示に従ってディスプレイパネルを通常使用時の姿勢から一時待避時の姿勢とさせ、
前記ディスプレイパネルを待避させてから前記待避時間が経過したか否かを判別させ、
前記ディスプレイパネルを待避させてから前記待避時間が経過した場合に、前記ディスプレイパネルを前記通常使用時の姿勢に復帰させる、
ことを特徴とする制御プログラム。
【請求項１１】
請求項１０記載の制御プログラムにおいて、
前記待避姿勢記憶部は、複数の前記一時待避時の姿勢を記憶可能であり、
前記ユーザの指示に対応するいずれかの前記一時待避時の姿勢を選択させて前記通常使用時の姿勢から当該一時待避時の姿勢とさせる、
ことを特徴とする制御プログラム。
【請求項１２】
請求項１０または請求項１１に記載の制御プログラムにおいて、
前記車載用ディスプレイ装置は、前記通常使用時の姿勢を予め記憶する通常姿勢記憶部を備え、
前記ディスプレイパネルを前記通常使用時の姿勢に復帰させるに際し、前記通常姿勢記憶部に記憶した前記通常使用時の姿勢に前記ディスプレイパネルを復帰させることを特徴とする制御プログラム。
【請求項１３】
請求項１０ないし請求項１２のいずれかに記載の制御プログラムにおいて、
前記待避姿勢記憶部および待避時間記憶部に、前記待避時姿勢および前記待避時間の組合せを複数組記憶させることを特徴とする制御プログラム。
【請求項１４】
請求項１０ないし請求項１３のいずれかに記載の制御プログラムを記録したことを特徴とするコンピュータ読取可能な記録媒体。
【発明の詳細な説明】
【技術分野】
【０００１】
本発明は、車載用ディスプレイ装置、車戦用ディスプレイ装置の制御方法、制御プログラムおよび記録媒体に係り、特に未使用時には簾体内に水平状態でディスプレイパネルを収納させ、使用時にはディスプレイパネルを水平にせり出させて、回動させ、ユーザに表示画面を対向させる車載用ディスプレイ装置の制御方法、制御プログラムおよび記録媒体に関する。
【背景技術】
【０００２】
従来より、未使用時に車両のダッシュボード内に設置された蟹体内に水平状態で収納され、使用時にディスプレイパネルを水平にせり出させ、回動させてユーザに表示画面を対向させる車戦用ディスプレイ装置が知られている（たとえば、特許文献１参照）。
【０００３】
この場合において、ディスプレイパネルは、回動されることによりユーザが表示画面を目視容易な角度に起立させることとなっていた。
【特許文献１】特開２０００−３０９２４７号公報
【発明の開示】
【発明が解決しようとする課題】
【０００４】
ところで、上記従来の車載用ディスプレイをダッシュボード内に設置し、ディスプレイパネルを使用状態にして起立させた状態では、エアコンやラジオ等のダッシュボード上の各種操作部がディスプレイパネルの裏面側に位置することとなり、それらの操作が困難になってしまうという問題点があった。
【０００５】
もちろんディスプレイパネルを手前側（ユーザ側）に回動させて、ディスプレイパネルを水平状態とすればエアコンやラジオ等の操作部を操作することが可能となるが、操作終了後にユーザが再びディスプレイパネルを回動させて通常使用状態としなければならず、手間が煩雑になるという問題点があった。
【０００６】
そこで、本発明の目的は、使用中のディスプレイパネルの背面側に位置する操作部等の一時的な操作を迅速、かつ、容易に行えるようにするとともに、ディスプレイパネルの通常使用状態への復帰の手間を低減することが可能な車載用ディスプレイ装置、車載用ディスプレイ装置の制御方法、制御プログラムおよび記録媒体を提供することにある。
【課題を解決するための手段】
【０００７】
上記課題を解決するため、車載用ディスプレイ装置は、ディスプレイパネルの一時待避時の姿勢を記憶する待避姿勢記憶部と、前記一時待避時の姿勢を前記待避姿勢記憶部にあらかじめユーザが記憶させるべく操作を行う待避姿勢設定部と、前記ディスプレイパネルを一時待避させる時間である待避時間を記憶する待避時間記憶部と、ユーザの指示に従ってディスプレイパネルを通常使用時の姿勢から一時待避時の姿勢とする待避処理部と、前記ディスプレイパネルを待避させてから前記待避時間が経過したか否かを判別する経過時間判別部と、前記ディスプレイパネルを待避させてから前記待避時間が経過した場合に、前記ディスプレイパネルを前記通常使用時の姿勢に復帰させる復帰部と、を備えたことを特徴としている。
【０００８】
上記構成によれば、待避姿勢設定部を介して一時待避時の姿勢を待避姿勢記憶部にあらかじめユーザが記憶させるべく操作を行い、待避姿勢記憶部は、ディスプレイパネルの一時待避時の姿勢を記憶する。
また、待避時間記憶部は、ディスプレイパネルを一時待避させる時間である待避時間を記憶する。
一方、待避処理部は、ユーザの指示に従ってディスプレイパネルを通常使用時の姿勢から一時待避時の姿勢とする。
そして、経過時間判別部は、ディスプレイパネルを待避させてから待避時間が経過したか否かを判別し、復帰部は、ディスプレイパネルを待避させてから待避時間が経過した場合に、ディスプレイパネルを通常使用時の姿勢に復帰させる。
【０００９】
この場合において、前記待避姿勢記憶部は、複数の前記一時待避時の姿勢を記憶可能であり、前記待避処理部は、前記ユーザの指示に対応するいずれかの前記一時待避時の姿勢を選択して前記通常使用時の姿勢から当該一時待避時の姿勢とするようにしてもよい。
また、前記一時待避時の姿勢は、前記ディスプレイパネルが前記通常使用時の姿勢をとっている場合に、前記ディスプレイパネルの背面側に位置することととなる他の装置の操作部の操作が行える姿勢とするようにしてもよい。
【００１０】
さらに、前記通常使用時の姿勢を記憶する通常姿勢記憶部を備え、前記復帰部は、前記通常姿勢記憶部に記憶した前記通常使用時の姿勢を参照して前記ディスプレイパネルを前記通常使用時の姿勢に復帰させるようにしてもよい。
さらにまた、前記待避姿勢記憶部および待避時間記憶部は、協働して前記待避時姿勢および前記待避時間の組合せを複数組記憶するようにしてもよい。
【００１１】
また、車載用ディスプレイ装置の制御方法は、ユーザの指示に従ってディスプレイパネルの一時待避時の姿勢を予め記憶する待避姿勢記憶過程と、ユーザの操作に基づいて前記ディスプレイパネルを一時待避させる時間である待避時間を予め記憶する待避時間記憶過程と、ユーザの操作に基づいてディスプレイパネルを通常使用時の姿勢から一時待避時の姿勢とする待避処理過程と、前記ディスプレイパネルを待避させてから前記待避時間が経過したか否かを判別する経過時間判別過程と、前記ディスプレイパネルを待避させてから前記待避時間が経過した場合に、前記ディスプレイパネルを前記通常使用時の姿勢に復帰させる復帰過程と、を備えたことを特徴としている。
【００１２】
この場合において、前記待避姿勢記憶過程においては、複数の前記一時待避時の姿勢を記憶可能であり、前記待避処理過程は、前記ユーザの指示に対応するいずれかの前記一時待避時の姿勢を選択して前記通常使用時の姿勢から当該一時待避時の姿勢とするようにしてもよい。
また、前記一時待避時の姿勢は、前記ディスプレイパネルが前記通常使用時の姿勢をとっている場合に、前記ディスプレイパネルの背面側に位置することととなる他の装置の操作部の操作が行える姿勢とするようにしてもよい。
さらに、前記通常使用時の姿勢を予め記憶する通常姿勢記憶過程を備え、前記復帰過程は、前記通常姿勢記憶過程で記憶した前記通常使用時の姿勢に前記ディスプレイパネルを復帰させるようにしてもよい。
【００１３】
また、ディスプレイパネルの一時待避時の姿勢を記憶する待避姿勢記憶部と、前記ディスプレイパネルを一時待避させる時間である待避時間を記憶する待避時間記憶部と、を備えた車載用ディスプレイ装置をコンピュータにより制御するための制御プログラムは、前記一時待避時の姿勢を前記待避姿勢記憶部にあらかじめユーザに記憶させ、前記ユーザの指示に従ってディスプレイパネルを通常使用時の姿勢から一時待避時の姿勢とさせ、前記ディスプレイパネルを待避させてから前記待避時間が経過したか否かを判別させ、前記ディスプレイパネルを待避させてから前記待避時間が経過した場合に、前記ディスプレイパネルを前記通常使用時の姿勢に復帰させる、ことを特徴としている。
【００１４】
この場合において、前記待避姿勢記憶部は、複数の前記一時待避時の姿勢を記憶可能であり、前記ユーザの指示に対応するいずれかの前記一時待避時の姿勢を選択させて前記通常使用時の姿勢から当該一時待避時の姿勢とさせるようにしてもよい。
また、前記車載用ディスプレイ装置は、前記通常使用時の姿勢を予め記憶する通常姿勢記憶部を備え、前記ディスプレイパネルを前記通常使用時の姿勢に復帰させるに際し、前記通常姿勢記憶部に記憶した前記通常使用時の姿勢に前記ディスプレイパネルを復帰させるようにしてもよい。
【００１５】
さらに、前記待避姿勢記憶部および待避時間記憶部に、前記待避時姿勢および前記待避時間の組合せを複数組記憶させるようにしてもよい。
また、上記各制御プログラムをコンピュータ語取可能な記録媒体に記録することも可能である。
【発明の効果】
【００１６】
本発明によれば、使用中のディスプレイパネルの背面側に位置する操作部等の一次的な
操作を迅速、かつ、容易に行えるようにするとともに、ディスプレイパネルの通常使用状
態への復帰の手間を低減できる。
【発明を実施するための最良の形態】
【００１７】
次に本発明の好適な実施の形態について図面を参照して説明する。
図１は、実施形態の車載用ディスプレイ装置の概要構成ブロック図である。
図２は、実施形態の車載用ディスプレイ装置のディスプレイパネルを一時待避時の姿勢（水平姿勢）とした場合の外観斜視図である。
図３は、一実施形態の車載用ディスプレイ装置のディスプレイパネルを通常使用時の姿勢（立設姿勢）とした場合の外観斜視図である。
【００１８】
車戦用ディスプレイ装置１０は、車載用ディスプレイ装置１０全体を制御するマイクロコンピュータ１１と、ユーザが各種操作を行う操作部１２と、各種情報を表示するディスプレイパネル１３と、ディスプレイパネル１３を水平駆動あるいは回動駆動するための駆動部１４と、各種データを不揮発的に更新可能に記憶するＥＥＰＲＯＭ１５と、を備えている。
【００１９】
マイクロコンピュータ１１は、制御用プログラムおよび制御用データをあらかじめ記憶しているＲＯＭ２１と、各種データを一次的に格納するＲＡＭ２２と、ＲＯＭ２１に格納された制御用プログラムに基づいてディスプレイパネル１３の駆動制御および表示制御を行うＣＰＵ２４と、を備えている。
【００２０】
操作部１２は、ディスプレイパネル１３が筐体内に収納されている場合にディスプレイパネル１３をせり出させて、通常使用時の姿勢とする指示操作、通常使用時にエアコンの操作を行うためのエアコンモードへ移行しディスプレイパネル１３を一時待避時の姿勢とするための指示操作およびディスプレイパネル１３を筐体内に収納させるための指示操作を行うためのオープン／クローズキー１２Ａ（図２参照）を備えている。
また、このオープン／クローズキー１２Ａを含む操作部１２は、ディスプレイパネルの姿勢を変更して、当該変更後の姿勢を通常使用時の姿勢あるいは一時待避時の姿勢としてＥＥＰＲＯＭ１５にそれぞれ複数記憶させるべく操作する際にも用いられ、さらに待避時間を予めＥＥＰＲＯＭ１５に記憶させるべく操作する際にも用いられる。
【００２１】
ディスプレイパネル１３は、例えば、液晶ディスプレイを備えて構成されており、必要に応じて、その表面には、操作部１２を構成するタッチパネルが設けられている。
【００２２】
駆動部１４は、ディスプレイパネル１３を水平方向に駆動する水平駆動用モータ１４Ａと、ディスプレイパネル１３を回動軸を回動中心として回動させる回動用モータ１４Ｂと、ディスプレイパネル１３の姿勢を検出する姿勢検出センサ１４Ｃと、を備えている。
車載用ディスプレイ装置１０は、図２あるいは図３に示すように、ダッシュボードパネルＤＰ内にその筐体が収納されるように設けられている。
【００２３】
次に実施形態の車載用ディスプレイ装置の動作について説明する。
図４は、ディスプレイパネルを筐体内に収納している場合に、ディスプレイパネルを通常使用時の姿勢とするための処理フローチャートである。
図５は、車載用ディスプレイ装置のディスプレイパネル収納状態の説明図である。
図６は、車載用ディスプレイ装置のディスプレイパネルを筐体から水平に引き出した状態の説明図である。
図７は、車載用ディスプレイ装置のディスプレイパネルの回動動作および一時待避時の姿勢としたときの説明図である。
図８は、車載用ディスプレイ装置のディスプレイパネルを通常使用時の姿勢としたときの説明図である。
【００２４】
マイクロコンピュータ１１は、図５に示すように、ディスプレイパネル１３が筐体内に収納された状態の時に、オープン／クローズキー１２Ａが所定の基準押し下げ時間よりも短い期間、押し下げ操作されると、駆動部１４を制御し、水平駆動用モータ１４Ａを駆動して、筐体から水平にディスプレイパネル１３を移動させる（ステップＳ１）。
【００２５】
このとき、ディスプレイパネル１３が水平駆動終了位置（姿勢１３Ｈ；図７参照）に至ると、図示しない水平位置検出スイッチがオン状態となるように構成されている。
したがって、マイクロコンピュータ１１は、水平駆動用モータ１４Ａの駆動中は、水平位置検出スイッチの出力に基づいてディスプレイパネル１３が水平駆動終了位置に至ったか否かを判別する（ステップＳ２）。
【００２６】
ステップＳ２の判別において、未だディスプレイパネル１３が水平駆動終了位置に至っていない場合には（ステップＳ２；Ｎｏ）、マイクロコンピュータ１１は、そのまま待機状態となる。
【００２７】
ステップＳ２の判別において、ディスプレイパネル１３が水平駆動終了位置に至った場合には（ステップＳ２；Ｙｅｓ）、マイクロコンピュータ１１は、駆動部１４を制御し、水平駆動用モータ１４Ａを停止させる（ステップＳ３）。
この状態でディスプレイパネル１３は、図６に示すように、水平に完全に引き出された状態（一時待避姿勢の一態様にも相当）となる。
【００２８】
次にマイクロコンピュータ１１は、駆動部１４を制御し、回動用モータ１４Ｂを駆動して、図７に示すように、水平に引き出されたディスプレイパネル１３を回動軸１３Ａを中心として上方に回動させる（ステップＳ４）。
【００２９】
このとき、ディスプレイパネル１３が回動し、通常使用時の姿勢１３Ｖに相当する回動終了位置に至ると、姿勢検出センサ１４Ｃの出力と、マイクロコンピュータ１１がＥＥＰＲＯＭ１５に予め記憶しておいた姿勢データとを比較して現在の姿勢を検出できるようになっている。この姿勢検出センサ１４Ｃは、例えば、ロータリーエンコーダなどで構成されて、ユーザの好みのディスプレイパネル回動位置を、ディスプレイパネル１３の通常使用時の姿勢として検出することが可能となっている。
ここで、回動終了位置は、デフォルト設定の他、図示しないチルト設定キーによりユーザが設定した位置がＥＥＰＲＯＭ１５内に格納されている。この結果、マイクロコンピュータ１１は、姿勢検出センサの出力とＥＥＰＲＯＭ１５に格納されている設定位置とを比較して回動終了位置を判別している。
【００３０】
したがって、マイクロコンピュータ１１は、回動用モータＩＢＡの駆動中は、姿勢検出センサの出力に基づいてディスプレイパネル１３が通常使用時の姿勢に至ったか否かを判別する（ステップＳ５）。
【００３１】
ステップＳ５の判別において、未だディスプレイパネル１３が通常使用時の姿勢に至っていない場合には（ステップＳ５；Ｎｏ）、マイクロコンピュータ１１は、そのまま待機状態となる。
【００３２】
ステップＳ５の判別において、図８に示すように、ディスプレイパネル１３が通常使用時の姿勢に至った場合には（ステッフＳ５；Ｙｅｓ）、マイクロコンピュータ１１は、駆動部１４を制御し、回動用モータ１４Ｂを停止させる（ステップＳ６）。
【００３３】
この状態において、エアコン等の操作部の操作キー５１Ａ〜５１Ｆは、ディスプレイパネル１３の背面側に位置することとなり、これらの操作キー５１Ａ〜５１Ｆの操作が必要な場合は、以下に詳述する手順によりディスプレイパネル１３を一時待避位置に待避させることとなる。
【００３４】
図９は、オープン／クローズキーを操作した場合のディスプレイパネルの制御処理フローチャートである。
まずマイクロコンピュータ１１は、オープン／クローズキー１２Ａが操作されたか否かを判別する
（ステップＳ１１）。
【００３５】
ステップＳ１１の判別において、オープン／クローズキー１２Ａが操作されていない場合には（ステップＳ１１；Ｎｏ）、待機状態となる。
【００３６】
ステップＳ１１の判別において、オープン／クローズキー１２Ａが操作された場合には（ステップＳ１１；Ｙｅｓ）、マイクロコンピュータ１１は、当該オープン／クローズキー１２Ａの操作時間が所定の基準時間よりも短い短押しがなされたか否かを判別する（ステップＳ１２）。
ステップＳ１２の判別において、オープン／クローズキー１２Ａの操作時間が所定の基準時間よりも短い短押しがなされた場合には、マイクロコンピュータ１１は、ディスプレイパネル１３が筐体内に収納状態にあるか否かを判別する（ステップＳ１３）。
【００３７】
ステップＳ１３の判別において、ディスプレイパネル１３が筐体内に収納状態にある場合には（ステップＳ１３；Ｙｅｓ）、上述したステップＳ１〜ステップＳ６の処理により、ディスプレイパネル１３を通常使用時の姿勢１３Ｖとして、処理を終了する（ステップＳ１９）。
ステップＳ１３の判別において、ディスプレイパネル１３が筐体内に収納状態にはない場合には（ステップＳ１３；Ｎｏ）、ディスプレイパネル１３を筐体内に収納する処理を行う。
【００３８】
図１０は、ディスプレイパネル収納時の処理フローチャートである。
具体的には、マイクロコンピュータ１１は、図８に示すように、ディスプレイパネル１３が通常使用時の姿勢１３Ｖである時に、オープン／クローズキー１２Ａが所定の基準押し下げ時間よりも短い期間、押し下げ操作されると、駆動部１４を制御し、回動動用モータ１４Ｂを駆動して、ディスプレイパネル１３を回動させる（ステップＳ３１）。
【００３９】
このとき、ディスプレイパネル１３が回動終了位置、すなわち、ディスプレイパネルが水平になると、図示しない水平位置検出スイッチがオン状態となる。
したがって、マイクロコンピュータ１１は、回動用モータ１４Ｂの駆動中は、水平位置検出スイッチの出力に基づいてディスプレイパネル１３が回動終了位置に至ったか否かを判別する（ステップＳ３２）。
【００４０】
ステップＳ３２の判別において、未だディスプレイパネル１３が回動終了位置に至っていない場合には（ステップＳ３２；Ｎｏ）、マイクロコンピュータ１１は、そのまま待機状態となる。
【００４１】
ステップＳ３２の判別において、ディスプレイパネル１３が回動終了位置に至った場合には（ステップＳ３２；Ｙｅｓ）、マイクロコンピュータ１１は、駆動部１４を制御し、回動用モータ１４Ｂを停止させる（ステップＳ３３）。
この状態でディスプレイパネル１３は、図６に示したように、完全に水平な状態となる。
【００４２】
次にマイクロコンピュータ１１は、駆動部１４を制御し、水平駆動用モータ１４Ａを駆動して、図７に示すように、水平に引き出されたディスプレイパネル１３を筐体内に引き込むこととなる（ステップＳ３４）。
【００４３】
続いて、マイクロコンピュータ１１は、水平駆動用モータ１４Ａの駆動中は、図示しない収納位置検出センサの出力に基づいてディスプレイパネル１３が筐体内に完全に収納されたか否かを判別する（ステップＳ３５）。
【００４４】
ステップＳ３５の判別において、未だディスプレイパネル１３が筐体内に完全に収納されていない場合には（ステップＳ３５；Ｎｏ）、マイクロコンピュータ１１は、そのまま待機状態となる。
【００４５】
ステップＳ３５の判別において、図５に示すように、ディスプレイパネル１３が筐体内に完全に収納された場合には（ステッフＳ３５；Ｙｅｓ）、マイクロコンピュータ１１は、駆動部１４を制御し、水平駆動用モータ１４Ａを停止させる（ステップＳ３６）。
以上のステップＳ２１〜ステップＳ２６の処理により、ディスプレイパネル１３を収納完了状態として、処理を終了する。
【００４６】
ステップＳ１２の判別において、オープン／クローズキー１２Ａの操作時間が所定の基準時間よりも長い長押しがなされた場合には（ステップＳ１２；Ｎｏ）、マイクロコンピュータ１１は、現在の動作モードがエアコンの操作を行わせるためのエアコンモードであるか否かを判別する（ステップＳ１７）。
ステップＳ１７の判別において、現在の動作モードがエアコンモードではない場合には（ステップＳ１７；Ｎｏ）、マイクロコンピュータ１１は、動作モードをエアコンモードに設定する（ステップＳ１８）。
【００４７】
続いて、マイクロコンピュータ１１は、ＥＥＰＲＯＭ１５から一時待避時の姿勢および一時待避時間に関するデータを読み出す。さらに駆動部１４を制御し、回動用モータ１４Ｂを駆動して、ディスプレイパネル１３を一時待避姿勢（たとえば、図７に示す一時待避姿勢１３Ｗ）とする（ステップＳ１９）。
次にマイクロコンピュータ１１は、ＥＥＰＲＯＭ１５から読み出した一時待避時間を設定して、タイマをスタートさせる（ステップＳ２０）。
【００４８】
続いてマイクロコンピュータ１１は、タイマの計測時間が一時待避時間を経過してタイムアップしたか否かを判別する（ステップＳ２１）。
ステップＳ２１の判別において、未だタイマがタイムアップしていない場合には（ステップＳ２２；Ｎｏ）、再び処理をステップＳ１１に移行し、以下、同様の処理を行う。
ステップＳ２１の判別において、タイマがタイムアップした場合には（ステップＳ２２；Ｙｅｓ）、エアコンモードを解除する（ステップＳ１５）。
【００４９】
これにより、マイクロコンピュータ１１は、駆動部１４を制御し、回動用モータ１４Ｂを駆動して、ディスプレイパネル１３を通常使用時の姿勢１３Ｖとして処理を終了する（ステップＳ１６）。
【００５０】
ステップＳ１７の判別において、現在の動作モードがエアコンモードである場合には（ステップＳ１７；Ｙｅｓ）、ディスプレイパネル１３は、一時待避時の姿勢１３Ｗとなっているはずであるので、まず、マイクロコンピュータ１１は、エアコンモードを解除する（ステップＳ１５）。そして、駆動部１４を制御し、回動用モータ１４Ｂを駆動して、ディスプレイパネル１３を通常使用時の姿勢１３Ｖとして処理を終了する（ステップＳ１６）。
【００５１】
以上の説明のように、本実施形態によれば、車載ディスプレイ装置の使用時にディスプレイパネル１３の背面に位置することとなる、エアコンの操作部の操作が迅速に行え、さらに操作後、すなわち、ユーザ設定時間の経過後には自動的に通常使用時の姿勢にディスプレイパネル１３が復帰するので、ユーザの手間を煩わせることがなくなる。
【００５２】
ここで、ディスプレイパネル１３が通常使用時の姿勢（１３Ｖ）に復帰するまでの時間及びディスプレイパネル１３の一時待機時の姿勢（１３Ｗ）は、ユーザが任意に設定可能となっており、操作性が向上する。さらに様々なエアコン操作部の態様に容易に対応することができる。
【００５３】
以上の説明においては、オープン／クローズキーの短押しあるいは長押しおよび現在のディスプレイパネル１３の姿勢を判別して、ディスプレイパネル１３を通常使用時の姿勢に移行させ、収納状態に移行させ、あるいは、一時待避時の姿勢に移行させるように構成していたが、オープン／クローズキー１２Ａに加えてディスプレイパネル１３の一時待避用キーを設け、この一時待避用キーによりディスプレイパネル１３を一時待避状態に移行させるように構成することも可能である。
また、一時待避状態への移行を行うためのキーは任意に設定することが可能である。
【００５４】
この場合において、前記待避姿勢記憶部は、複数の前記一時待避時の姿勢を記憶可能であり、前記待避処理部は、前記ユーザの指示に対応するいずれかの前記一時待避時の姿勢を選択して前記通常使用時の姿勢から当該一時待避時の姿勢とするようにしてもよい。
以上の説明においては、待避時姿勢および待避時間をそれぞれ１種類ずつ記憶するように構成していたが、待避姿勢記憶部として機能するＥＥＰＲＯＭ１５に複数の一時待避時の姿勢を記憶させ、マイクロコンピュータ１１がユーザの指示に対応するいずれかの一時待避時の姿勢を選択して通常使用時の姿勢から当該一時待避時の姿勢とするように構成することも可能である。
【００５５】
また、待避姿勢記憶部及び待避時間記憶部として機能するＥＥＰＲＯＭ１５に複数組の組合せを、ユーザが任意に指定して記憶させ、あるいは、予めデフォルトで記憶させ、ユーザの指示（＝操作状態）に応じていずれかの組み合わせで動作するように構成することも可能である。
【００５６】
これらの場合のユーザの指示としては、待避姿勢を直接的に指定するものであっても良いし、上述したエアコンモード等のように動作モードを指定して間接的にしていするものであってもよい。
【００５７】
以上の説明においては、車戦用ディスプレイ装置を制御するための制御プログラムがマイクロコンピュータ１１を構成するＲＯＭ２１に予め記憶されている場合について説明したが、各種磁気ディスク、光ディスク、メモリカードなどの記録媒体に制御用プログラムをあらかじめ記録し、これらの記録媒体から読み込み、インストールするように構成する
ことも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い車載用ディスプレイ装置を構成することが可能となる。
【００５８】
さらに通常時の姿勢、一時待避時の姿勢、待避時間などについても、データとして記録媒体から読み込んで記憶させたり、ネットワークを介してダウンロードして記憶させるように構成することも可能である。
【図面の簡単な説明】
【００５９】
【図１】実施形態の車載用ディスプレイ装置の概要構成ブロック図である。
【図２】実施形態の車載用ディスプレイ装置のディスプレイパネルを一次待避位置（水平位置）とした場合の外観斜視図である。
【図３】実施形態の車載用ディスプレイ装置のディスプレイパネルを通常使用位置（立設位置）とした場合の外観斜視図である。
【図４】ディスプレイパネルを筐体内に収納している場合に、通常使用位置までディスプレイパネルを引き出すための処理フローチャートである。
【図５】車載用ディスプレイ装置のディスプレイパネル収納状態の説明図である。
【図６】車載用ディスプレイ装置のディスプレイパネルを水平に引き出した状態の説明図である。
【図７】車載用ディスプレイ装置のディスプレイパネルの回動動作の説明図である。
【図８】車載用ディスプレイ装置のディスプレイパネルを通常使用時の姿勢としたときの説明図である。
【図９】オープン／クローズキーを操作した場合のディスプレイパネルの制御処理フローチャートである。
【図１０】車載用ディスプレイ装置のディスプレイパネル収納時の処理フローチャートである。
【符号の説明】
【００６０】
１０…車載用ディスプレイ装置
１１…マイクロコンピュータ（待避処理部、経過時間判別部、復帰部、待避時間設定部）
１２…操作部（待避姿勢設定部、待避時間設定部）
１２Ａ…オーブン／クローズキー（待避姿勢設定部、待避時間設定部）
１３…ディスプレイパネル
１３Ｖ…通常使用時の姿勢
１３Ｗ…一時待避時の姿勢
１４…駆動部（待避処理部、復帰部）
１４Ａ…水平駆動用モータ（待避処理部、復帰部）
１４Ｂ…回動用モータ（待避処理部、復帰部）
１４Ｃ…姿勢検出センサ
１５…ＥＥＰＲＯＭ（待避姿勢記憶部、待避時間記憶部、通常使用位置記憶部）
２１…ＲＯＭ
２２…ＲＡＭ
２４…ＣＰＵ（待避処理部、経過時間判別部、復帰部、待避時間設定部）
【図１】
2005335556.tif 000003
【図２】
2005335556.tif 000004
【図３】
2005335556.tif 000005
【図４】
2005335556.tif 000006
【図５】
2005335556.tif 000007
【図６】
2005335556.tif 000008
【図７】
2005335556.tif 000009
【図８】
2005335556.tif 000010
【図９】
2005335556.tif 000011
【図１０】
2005335556.tif 000012